(57)【要約】【課題】シンクキャビネットの前面上部に設けた把手に掛止バーを伸縮自在に収納し、タオルやふきん等を掛止する機能を付与するとともに、把手としても機能するシンクキャビネットの把手構造を提供する。【解決手段】シンクキャビネットの前面上部に凸設される把手の構造であって、該把手１は平面視略コの字型とされるとともに、把手本体１１はシンク４の長手方向に沿って設けられ、該把手本体１には掛止バー２が伸縮自在に収納されるシンクキャビネットの把手構造Ａ。上記掛止バーは把手本体の左又は右のいずれかから出没するようにされる。【選択図】図３
2008000299.tif 000002
【特許請求の範囲】
【請求項１】
シンクキャビネットの前面上部に凸設される把手の構造であって、該把手は平面視略コの字型とされるとともに、把手本体はシンクの長手方向に沿って設けられ、該把手本体には掛止バーが伸縮自在に収納されるシンクキャビネットの把手構造。
【請求項２】
上記掛止バーが把手本体の左又は右のいずれかから出没するようにされた請求項１に記載のシンクキャビネットの把手構造。
【請求項３】
上記掛止バーが多段に伸縮可能とされるともに、端部に係止部が設けられた請求項１に記載のシンクキャビネットの把手構造。
【請求項４】
上記把手がシンクキャビネットの前面上部に設けられた引出しの把手である請求項１に記載のシンクキャビネットの把手構造。
【発明の詳細な説明】
【技術分野】
【０００１】
本発明は、キッチンに配設されるシンクキャビネットに関する。さらに詳しくは、シンクを備えたシンクキャビネットの前面上部に凸設される平面視略コの字型の把手の構造に関する。
【背景技術】
【０００２】
従来、シンクキャビネットやカウンターキャビネット等キッチンに設けられる
キャビネットの前面上部には把手が取り付けられることが多く、この把手は、例えば、手拭き用のタオル等を掛ける掛止具として利用されている。例えば、下記特許文献１には、本願図４に示すように、把手９に長尺物が下方の収納部を邪魔する位置に掛け止められていても収納物を容易に取り出せるように、把手９を当該収納部の前からスライド自在に移動させることができるキッチン台等の収納家具が開示されている。
【０００３】
すなわち、上記特許文献１に記載の把手は、本願図４に示すように、キッチン台の前面上部に設けたガイドレール９１にスライド自在に係止されているため、収納物の出し入れの邪魔となる際には、左右いずれかの方向にスライド移動させ、掛止物が掛けられるようにされている。
【特許文献１】特開２００６−２６２５１号公報（第２０〜２３頁、第１図、第３図）
【発明の開示】
【発明が解決しようとする課題】
【０００４】
しかしながら、把手に既にタオル等が掛けられているとき、さらにふきん等を掛ける必要が生じた場合、掛けるための十分なスペースがないため、シンクカウンタの縁部に広げる等の方法を取らざるを得ない。そこで、本発明はシンクキャビネットの前面上部に設けた把手に掛止バーを伸縮自在に収納し、タオルやふきん等を掛止する機能を付与するとともに、タオル掛けとして使用しないときは把手として機能する、シンクキャビネットの把手構造を提供することを、その課題とする。
【課題を解決するための手段】
【０００５】
上記課題を解決するために、本発明においては、つぎのような技術的手段を講じている。すなわち、請求項１に記載の発明によれば、シンクキャビネットの前面上部に凸設される把手の構造であって、該把手は平面視略コの字型とされるとともに、把手本体はシンクの長手方向に沿って設けられ、該把手本体には掛止バーが伸縮自在に収納されるシンクキャビネットの把手構造が提供される。
【０００６】
請求項２に記載のシンクキャビネットの把手構造は、請求項１に記載の発明に加えて、上記掛止バーは把手本体の左又は右のいずれから出没するようにされてもよい。
【０００７】
請求項３に記載のシンクキャビネットの把手構造は、請求項１に記載の発明に加えて、上記掛止バーを多段に伸縮可能とするともに、端部に係止部が設けられることが好ましい。通常掛止バーは２段で収納されることが好ましい。
【０００８】
請求項４に記載のシンクキャビネットの把手構造は、請求項１に記載の発明に加えて、上記把手をシンクキャビネットの前面上部に設けられた引出しの把手とすることが好ましい。
【発明の効果】
【０００９】
請求項１に記載の発明にかかるシンクキャビネットの把手構造は上記のとおりであり、シンクの長手方向に沿って設けられた把手の把手本体に掛止バーが伸縮自在に収納されるため、把手自体の幅を比較的狭く、コンパクトにすることができるとともに、この把手から掛止バーを引き出し、片持ち式にタオル等を幅広く掛ける掛止具として利用することができる。
【００１０】
請求項２に記載のシンクキャビネットの把手構造は上記のとおりであり、請求項１のシンクキャビネットの把手構造の有する効果に加え、上記掛止バーは把手本体の左又は右のいずれかから出没するようにされているため、キッチン内におけるシンクキャビネットの配置状態に応じて使い勝手のよい方を選ぶことができる。
【００１１】
請求項３に記載のシンクキャビネットの把手構造は上記のとおりであり、請求項１のシンクキャビネットの把手構造の有する効果に加え、上記掛止バーが多段に伸縮可能とされるともに、端部に係止部が設けられているため、上記係止部を摘んで掛止バーを伸ばすことができるとともに、収納したとき把手本体と面一となり、見た目が把手と同じとなるため、意匠性を向上させることができる。
【００１２】
請求項４に記載のシンクキャビネットの把手構造は上記のとおりであり、請求項１のシンクキャビネットの把手構造の有する効果に加え、上記把手をシンクキャビネットの前面上部に設けられた引出しの把手とすることにより、この把手にタオル等を掛ける片持ち式の掛止具としての機能を付与することができる。
【発明を実施するための最良の形態】
【００１３】
以下、本発明の実施形態について図面を参照して詳細に説明する。図１は、本発明にかかるシンクキャビネットの把手構造Ａを示す平面図である。図１に示すように、本発明にかかる把手１は平面視略コの字型とされ、シンクキャビネット５の前面上部にシンク４の長手方向に沿って設けられ、把手本体１１には掛止バー２が伸縮自在に収納されている。また、シンク４の周囲にはシンクカウンタ６が設けられている。
【００１４】
上記掛止バー２の端部には係止部３が付設され、この係止部３はタオル等を掛けたときずり落ちることを防ぐとともに、収納したとき、把手本体１１と面一となって一体性を出し、把手１の意匠性をよくするために設けられている。図２は、把手本体１１から係止部３を摘んで掛止バー２を２段で引き伸ばし、片持ち式のタオル掛けとした状態を示す平面図である。
【００１５】
図３は、本発明にかかるシンクキャビネットの把手構造Ａをシンクカウンタ６の下方に設けられた引出し７に適用した例を示す斜視図である。図３に示されているように、上記引出し７の把手本体１１に掛止バー２を出没自在に収納することにより、通常は、上記引出し７の把手１として機能するとともに、掛止バー２を引き出せば、タオル掛けとしても機能する。したがって、既設の掛止具８に既にタオル等が掛けられているとき、上記係止部３を摘んで掛止バー２を伸ばすことにより、この掛止バー２に、さらにふきん等を掛止することができる。
【００１６】
図３に示す掛止バー２は把手本体１１の左方に出没自在に収納されているが、キッチン内のシンクキャビネット５の配置によっては把手本体１１の右方に出没自在に収納してもよい。このように、本発明は種々設計変更可能であり、特許請求の範囲を逸脱しない限り本発明の技術的範囲に含まれる。
【図面の簡単な説明】
【００１７】
【図１】本発明にかかるシンクキャビネットの把手構造を示す平面図である。
【図２】上記シンクキャビネットの把手構造の掛止バーを引き伸ばした状態を示す平面図である。
【図３】上記シンクキャビネットの把手構造をシンクキャビネットの前面上部に設けた引出しの把手に適用した例を示す斜視図である。
【図４】シンクキャビネットの前面上部に設けられた公知の把手を示す斜視図である。
【符号の説明】
【００１８】
Ａ          本発明にかかるシンクキャビネットの把手構造
１          把手
１１        把手本体
２          掛止バー
３          係止部
４          シンク
５          シンクキャビネット
６          シンクカウンタ
７          引出し
８          既設の掛止具
９          公知の把手
９１        ガイドレール
【図１】
2008000299.tif 000003
【図２】
2008000299.tif 000004
【図３】
2008000299.tif 000005
【図４】
2008000299.tif 000006